(57)【要約】      （修正有）【課題】表カバー、裏カバー及び補助カバーを連接してなる３つ折り式の冊子カバーにおいて、ポケットに小物を入れた状態でも使いやすい冊子カバーを提供する。【解決手段】収容する冊子の表表紙を覆う表カバー１１と、表カバーの一端から伸びた背カバー１２と、背カバーを介して表カバーと繋がっており、冊子の裏表紙を覆う裏カバー１３と、表カバー及び裏カバーの内側に折り込まれる補助カバー１４と、を備えた冊子カバー１０において、表カバー及び裏カバーに、補助カバーを固定する補助カバー保持手段（帯状ポケット）１１ａ、１３ａを設け、使い方に応じて、補助カバーの取り付け位置を表カバーと裏カバーのいずれかに変更可能とした。【選択図】図２
0003198419.tif 000002
【実用新案登録請求の範囲】
【請求項１】
収容する冊子の表表紙を覆う表カバーと、
前記表カバーの一端から伸びた背カバーと、
前記背カバーを介して表カバーと繋がっており、前記冊子の裏表紙を覆う裏カバーと、
前記表カバー及び裏カバーの内側に折り込まれる補助カバーと、を備えた冊子カバーであって、
前記表カバーに前記補助カバーを固定する第１の補助カバー保持手段と、前記裏カバーに形成され前記補助カバーを固定する第２の補助カバー保持手段と、を有し、
前記補助カバーの取り付け位置を前記表カバーと裏カバーとのいずれかに変更可能としたことを特徴とする冊子カバー。
【請求項２】
前記第１の補助カバー保持手段及び第２の補助カバー保持手段は、側方に開口を有する帯状ポケットよりなることを特徴とする請求項１に記載の冊子カバー。
【請求項３】
前記補助カバーは、小物を収納するためのポケットが形成されたポケット形成部と、前記収納部に繋がった柔軟な折返部と、前記折返部を介してポケット形成部と繋がるとともに、心材で補強された固定部とを有し、前記固定部を前記帯状ポケットに挿入することで前記補助カバーを前記表カバー又は裏カバーに取り付けることを特徴とする請求項２に記載の冊子カバー。
【請求項４】
前記補助カバーのポケット形成部は板状の心材によって補強されていることを特徴とする請求項３に記載の冊子カバー。
【請求項５】
前記補助カバーの折返部の幅は、前記背カバーの幅よりも狭いことを特徴とする請求項３又は請求項４に記載の冊子カバー。
【請求項６】
前記第１の補助カバー保持手段及び第２の補助カバー保持手段は、前記補助カバーと共に前記冊子の表紙を保持することを特徴とする請求項２乃至請求項５のいずれか１項に記載の冊子カバー。
【請求項７】
前記表カバー、背カバー及び裏カバーは、外側の面を覆う一体的に形成された外生地と、内側の面を覆う内生地とを備えてなり、前記表カバー及び裏カバーの部分において前記外生地と内生地との間に板状の心材が設けられていることを特徴とする請求項１乃至請求項６のいずれか１項に記載の冊子カバー。
【請求項８】
前記表カバー、背カバー及び裏カバーには、小物収納用のポケットを設けず、前記補助カバーに小物収納用ポケットを集約させたことを特徴とする請求項１乃至請求項７のいずれか１項に記載の冊子カバー。
【請求項９】
前記第１の補助カバー保持手段及び第２の補助カバー保持手段は、前記表カバー及び裏カバーの内側の面にのみ形成されていることを特徴とする請求項１乃至請求項８のいずれか１項に記載の冊子カバー。
【請求項１０】
前記第１の補助カバー保持手段及び第２の補助カバー保持手段は、面ファスナー、ボタン、ホック、マグネット、綴紐、及び押さえ金具のいずれかよりなることを特徴とする請求項１に記載の冊子カバー。
【請求項１１】
前記補助カバーは、小物を収納するためのポケットが形成されたポケット形成部と、前記収納部に繋がった柔軟な折返部と、前記折返部を介してポケット形成部と繋がるとともに前記第１の補助カバー保持手段又は第２の補助カバー保持手段に接続可能な固定手段が設けられた固定部と、を有することを特徴とする請求項１０に記載の冊子カバー。
【考案の詳細な説明】
【技術分野】
【０００１】
本考案は、ノート、手帳及びファイル等の冊子の持ち運びに好適な冊子カバーに関する。
【背景技術】
【０００２】
従来より、表カバー、裏カバー及び補助カバーを連接してなる３つ折り式の冊子カバーが知られている。このような冊子カバーでは、表カバー及び裏カバーで冊子の表紙を保持するとともに、冊子カバーの各部に設けられたポケットにおいて、付箋、筆記具及びシールなどの小物を収容するようになっている。
【０００３】
そして、ユーザーの好みに応じて、手帳、日記帳、ノート、ファイルなどの冊子を冊子カバーに取り付けて、付箋や筆記具などと共に持ち運ぶことができるため、簡易的に鞄の代わりに使用することもできる。
【０００４】
ところが、従来の冊子カバーでは、ポケットに収容した物が増えて表カバー、裏カバー又は補助カバーが膨らんでしまうことがある。このような状態では、冊子の閲覧や記入が困難になることがある。
【先行技術文献】
【特許文献】
【０００５】
【特許文献１】特開平８−１１８８４２
【特許文献２】特開２０１１−２０１０７１
【特許文献３】特開２００７−２８３５８３
【考案の概要】
【考案が解決しようとする課題】
【０００６】
そこで、ポケットに小物を入れた状態でも冊子の記入や閲覧が快適な冊子カバーを提供することを目的とする。
【課題を解決するための手段】
【０００７】
下記の開示の一観点によれば、収容する冊子の表表紙を覆う表カバーと、前記表カバーの一端から伸びた背カバーと、前記背カバーを介して表カバーと繋がっており、前記冊子の裏表紙を覆う裏カバーと、前記表カバー及び裏カバーの内側に折り込まれる補助カバーと、を備えた冊子カバーであって、前記表カバーに前記補助カバーを固定する第１の補助カバー保持手段と、前記裏カバーに形成され前記補助カバーを固定する第２の補助カバー保持手段と、を有し、前記補助カバーの取り付け位置を前記表カバーと裏カバーとのいずれかに変更可能とした冊子カバーが提供される。
【考案の効果】
【０００８】
上記観点の冊子カバーによれば、冊子に記入する際に、邪魔にならない方のカバーに補助カバーをつけ替えることができるので、補助カバーに物を入れることによる不便を解消できる。
【０００９】
その結果、冊子と小物類を一緒に持ち運べる利便性と筆記に適した利便性を併せ持つことができる。
【図面の簡単な説明】
【００１０】
【図１】図１は、実施形態に係る冊子カバーの斜視図である。
【図２】図２は、図１の冊子カバーを開いた状態で示す斜視図である。
【図３】図３は、図２の冊子カバーの補助カバーの取り付け位置を変更した例を示す斜視図である。
【図４】図４は、図１の冊子カバーの補助カバーを分離した状態で示す正面図である。
【図５】図５は、図１の冊子カバーの補助カバーを分離した状態で示す背面図である。
【図６】図６は、図１の冊子カバー本体の断面図である。
【図７】図７は、図１の冊子カバーの補助カバーの断面図である。
【図８】図８（ａ）及び図８（ｂ）は、図１の冊子カバーの使用態様の一例を示す図である。
【図９】図９は、図１の冊子カバーの使用態様の別の一例を示す図である。
【考案を実施するための形態】
【００１１】
以下、添付の図面を参照して実施形態について説明する。
【００１２】
図１〜図９は、実施形態に係る冊子カバーを示す図である。
【００１３】
図１に示すように、実施形態に係る冊子カバー１０は、リング式の手帳やノート等の冊子９０を収容するものであり、冊子９０を覆う表カバー１１、背カバー１２、裏カバー１３と、付箋紙や名刺などの小物を収容するための補助カバー１４とを備えている。
【００１４】
この冊子カバー１０では、表カバー１１、背カバー１２及び裏カバー１３に小物収納用のポケットを設けず、補助カバー１４に小物収納用のポケットを集約させている。
【００１５】
図６の断面図に示すように、表カバー１１及び裏カバー１３にはそれぞれ板状の心材１１ｆ、１３ｆが含まれており、その心材１１ｆ、１３ｆの外面及び内面を布地１０ａ、１０ｂで覆い、周縁部において布地１０ａ、１０ｂを縫い合わせた構造となっている。心材１１ｆと心材１３ｆとの間の部分は、布地１０ａ、１０ｂのみで形成された柔軟な背カバー１２となっている。背カバー１２は、冊子９０の背の部分を覆い、開閉に応じて屈曲する。
【００１６】
図４に示すように、表カバー１１にはベルト１５ａが設けられている。また、裏カバー１３には、ベルト１５ａを保持するベルト保持部１５ｂが設けられている。これらのベルト１５ａ及びベルト保持部１５ｂで留具１５が構成され、冊子カバー１０を閉じた状態に保つことができる。さらに、表カバー１１には、ペンなどの筆記具を保持するペンホルダー１７が設けられている。
【００１７】
図２、図３の斜視図に示すように、表カバー１１及び裏カバー１３の内側の面には、冊子９０を取り付けるための帯状のポケット１１ａ、１３ａが設けられている。
【００１８】
この帯状のポケット１１ａ、１３ａは、帯状ポケット用生地を内側の生地１０ａの上に重ね合わせて、上下両端をそれぞれ生地１０ａ、１０ｂと共に縫い合わせた構造となっている。そのため、帯状ポケット１１ａ，１３ａは横方向に挿通可能となっており、冊子の表紙を背カバー１２側から挿入して使用するだけでなく、冊子９０の背の部分を表カバー１１又は裏カバー１３の端部側にして冊子９０を折返しながら使用することができる。また、様々な向きから冊子９０を取り付けることができるため、複数の冊子９０の取付けにも好適である。
【００１９】
本実施形態の冊子カバー１０では、上記の帯状ポケット１１ａ、１３ａの何れかに補助カバー１４の一部を挿入して取り付ける。
【００２０】
図４及び図５は、冊子カバー本体１０ａと、補助カバー１４とを分離した状態で示している。図示のように、補助カバー１４は、帯状ポケット１１ａ、１３ａに挿入するための固定部１４ａが設けられている。
【００２１】
この固定部１４ａは、帯状ポケット１１ａ、１３ｂにスムーズに脱着できるようにするべく、ポケットなどが設けられておらず、図７の補助カバー１４の断面図に示すように、板状の心材１４４で補強されている。その補強用の心材１４４の上下両面は、補助ポケット用生地１４２、１４３で覆われている。
【００２２】
補助ポケット用生地１４２、１４３は、固定部１４ａ、折返部１４ｃ及びポケット形成部１４ｂにおいて一体的に形成されており、固定部１４ａ及びポケット形成部１４ｂの周縁に沿って互いに縫い合わされている。
【００２３】
ポケット形成部１４ｂは、板状の心材１４１の上下両面を補助ポケット用生地１４２、１４３で覆い、更にその補助ポケット用生地１４２、１４３の上に生地１４５を縫い付けて収納用ポケット１４ｄを形成した部分である。これらの収納用ポケット１４ｄには、例えば、名刺や付箋紙、筆記具等を収容することができる。
【００２４】
また、折返部１４ｃは心材１４１と心材１４４との間の補助ポケット用生地１４２、１４３のみで形成された柔軟な部分であり、ここを起点にしてポケット形成部１４ｂを固定部１４ａの上に折り返すことができる。この折返部１４ｃでポケット形成部１４ｂを折り返すことで、補助ポケット１４を冊子カバー本体１０ａの中に畳んで収容できる。
【００２５】
上記の補助ポケット１４は、図２及び図３に示すように、必要に応じて表カバー１１の帯状ポケット１１ａ又は裏カバー１３の帯状ポケット１３ａのいずれかに取り付けることができる。これにより、邪魔にならない方のカバーに補助カバー１４をつけ替えることができる。
【００２６】
特に限定されるものではないが、冊子９０は、脱着可能なリング式の金具で紙片を閉じてなる手帳やノートであり、その金具を中心にして紙片を３６０°折り返すことができる。
【００２７】
以下では、リング式のノートを取り付けた使用例について説明する。
【００２８】
図８（ａ）、（ｂ）は、冊子カバー１０の見開きの右側に位置する表カバー１１の帯状ポケット１１ａの内側からノート９１の表紙を差し込んで取り付けて使用する例を示している。
【００２９】
図８（ａ）の例では、左側の裏カバー１３の帯状ポケット１３ａに補助ポケット１４を取り付けている。このように取り付けると、右側のページの記入の際に補助ポケット１４が邪魔にならない。見開きで右ページに記入欄が多く配置された右利きユーザー向けの手帳などに好適である。
【００３０】
また、図８（ｂ）に示すように補助ポケット１４を折り返して折り畳めば、冊子カバー１０を閉じて持ち運ぶことができる。
【００３１】
図９は、冊子カバー１０の表カバー１１及び裏カバー１３にノート９１をそれぞれ取り付けて使用する例を示す図である。
【００３２】
図示の例では、表カバー１１の帯状ポケット１１ａ及び裏カバー１３の帯状ポケット１３ａの外側からそれぞれノート９１の表紙を差し込んで取り付けており、２冊のノート９１を収容している。
【００３３】
この使用例では、ノート９１の邪魔にならないように、帯状ポケット１３ａの中央側の開口から補助カバー１４を取り付けている。
【００３４】
この場合にも、補助カバー１４がノート９１に使用に際して邪魔にならない。
【００３５】
以上のように、本実施形態の冊子カバー１０によれば、小物を収容するポケットを本体側には設けずに、補助カバー１４側に集約させる。また、補助カバー１４を使い方に応じて、邪魔にならないところに取り付けることができる。これにより、本体の膨らみによってノート９１への記入が妨げられる不具合を防止できる。
【００３６】
（その他の実施形態）
以上の実施形態では、補助カバー１４を固定するための第１、第２の補助カバー保持手段として帯状ポケット１１ａ、１３ａとした例を示したが、本発明はこれに限定されるものではない。
【００３７】
例えば、第１、第２の補助カバー保持手段を、ボタン留め、面ファスナー、ホック、マグネット、綴り紐、押さえ金具等としてもよい。
【符号の説明】
【００３８】
１０…冊子カバー、１０ａ、１０ｂ…布地、１１…表カバー、１１ａ、１３ａ…帯状ポケット、１１ｆ、１３ｆ、１４１、１４４…心材、１２…背カバー、１３…裏カバー、１４…補助カバー、１４ａ…固定部、１４ｂ…ポケット形成部、１４ｃ…折返部、１４ｄ…収納用ポケット、１５…留具、１５ａ…ベルト、１５ｂ…ベルト保持部、１７…ペンホルダー、９０…冊子、９１…ノート、１４２、１４３…補助ポケット用布地。
【図１】
0003198419.tif 000003
【図２】
0003198419.tif 000004
【図３】
0003198419.tif 000005
【図４】
0003198419.tif 000006
【図５】
0003198419.tif 000007
【図６】
0003198419.tif 000008
【図７】
0003198419.tif 000009
【図８】
0003198419.tif 000010
【図９】
0003198419.tif 000011